(57)【特許請求の範囲】
【請求項１】
テスト装置をプロービングするためのプローブステーションにおいて、
（ａ）テスト装置をプロービングする間、テスト装置を支持するための支持面を持つチャック装置素子を有するチャック装置と、
（ｂ）このチャック装置素子を少なくとも一部包囲し、このチャック装置素子に対し絶縁された導電外側シールド包囲体と、
（ｃ）前記外側シールド包囲体と前記チャック装置素子との間に介挿され、これ等外側シールド包囲体とチャック装置素子とに対し絶縁され、前記チャック装置素子を少なくとも一部包囲する導電内側シールド包囲体と、
（ｄ）前記内側シールド包囲体と前記チャック装置素子とが相互に独立したそれぞれのポテンシャルを有するよう前記チャック装置素子と前記内側シールド包囲体とにそれぞれ接続されたそれぞれの電気導体とを具え、
（ｅ）前記内側シールド包囲体は、前記外側シールド包囲体に対してほぼ移動不能に取り付けた第１部分と、前記外側シールド包囲体に対して移動可能に取り付けた第２部分とを有するものとして構成し、前記チャック装置素子および前記第２部分を相互連結して前記第１部分に対して一緒に移動する構成とした
ことを特徴とするプローブステーション。
【請求項２】
前記内側シールド包囲体にそれぞれ異なるポテンシャルを選択的に生ぜしめることができる選択コネクタ装置を有する請求項１に記載のプローブステーション。
【請求項３】
前記チャック装置に関する電気的雑音源を更に具え、この電気的雑音源と前記内側シールド包囲体との間に前記外側シールド包囲体を介挿した請求項１に記載のプローブステーション。
【請求項４】
前記支持面が側方に延びており、前記チャック装置は前記外側シールド包囲体に対し側方に選択的に移動可能に構成されており、前記チャック装置の側方移動に応動して前記外側シールド包囲体に対し側方に移動できる導電材料を前記内側シールド包囲体が有する請求項１に記載のプローブステーション。
【請求項５】
前記導電材料が可撓性である請求項４に記載のプローブステーション。
【請求項６】
前記導電材料がひだ付きである請求項５に記載のプローブステーション。
【請求項７】
前記外側シールド包囲体が前記内側シールド包囲体を絶縁して離間する関係に支持している請求項１に記載のプローブステーション。
【請求項８】
テスト装置をプロービングする方法において、
（ａ）テスト装置をプロービングする間、このテスト装置を支持するための支持面を有する第１チャック装置素子と、前記支持面に対し離間した関係に導電材料を有する第２チャック装置素子とを相互に電気的に絶縁して有するチャック装置を設け、
（ｂ）前記第１チャック装置素子と第２チャック装置素子に対して絶縁された導電外側シールド包囲体によってこれ等第１チャック装置素子と第２チャック装置素子とを少なくとも部分的に包囲し、
（ｃ）前記第１チャック装置素子と第２チャック装置素子との間の漏洩電流を最小にするようこれ等第１チャック装置素子と第２チャック装置素子とにほぼ等しいポテンシャルを有せしめ、
（ｄ）前記外側シールド包囲体と、前記第１チャック装置素子、及び第２チャック装置素子との間に、これ等外側シールド包囲体と第１チャック装置素子、及び第２チャック装置素子とに対し絶縁して導電内側シールド包囲体を介挿し、この内側シールド包囲体は、前記外側シールド包囲体に対してほぼ移動不能に取り付けた第１部分と、前記外側シールド包囲体に対して移動可能に取り付けた第２部分とを有するものとして構成し、前記チャック装置素子および前記第２部分を相互連結して前記第１部分に対して一緒に移動する構成とし、前記内側シールド包囲体によって前記第１チャック装置素子、及び第２チャック装置素子を少なくとも一部包囲することを特徴とするテスト装置をプロービングする方法。
【請求項９】
それぞれ異なるポテンシャルを前記内側シールド包囲体に選択的に発生させ得るようにする請求項８に記載の方法。
【請求項１０】
電気的雑音源が前記チャック装置に関連しており、前記外側シールド包囲体を前記雑音源と前記内側シールド包囲体との間に介挿する請求項８に記載の方法。
【請求項１１】
導電部材を前記支持面に離間した関係に対向させ、この導電部材を前記第２チャック装置素子に電気的に接続し、前記外側シールド包囲体と前記導電部材との間に前記内側シールド包囲体を介挿し、この内側シールド包囲体を前記導電部材に対し絶縁する請求項８に記載の方法。
【請求項１２】
前記支持面を側方に延在し、前記チャック装置を前記外側シールド包囲体に対し側方に選択的に移動可能にし、前記チャック装置の側方移動に応動して前記外側シールド包囲体に対し側方に移動し得る導電材料を前記内側シールド包囲体に設ける請求項８に記載の方法。
【請求項１３】
前記導電材料が可撓性である請求項１２に記載の方法。
【請求項１４】
前記導電材料がひだ付きである請求項１３に記載の方法。
【請求項１５】
前記外側シールド包囲体が前記内側シールド包囲体を絶縁して離間する関係に支持する請求項８に記載の方法。
【請求項１６】
テスト装置をプロービングするためのプローブステーションであって、
（ａ）テスト装置を支持するための支持面を持つチャックと、
（ｂ）前記支持面から電気的に絶縁しかつこの支持面を少なくとも部分的に包囲する導電内側部材と、
（ｃ）前記支持面から電気的に絶縁しかつこの支持面を少なくとも部分的に包囲する導電外側部材と
を具える該プローブステーションにおいて、
（ｄ）第１位置および第２位置をとる選択部材であって、前記第１位置では前記内側部材を前記外側部材に電気的に相互接続し、また前記第２位置では前記内側部材を前記外側部材から電気的に絶縁する該選択部材を設けた
ことを特徴とするプローブステーション。
【請求項１７】
前記内側部材および前記支持面は、それぞれ互いに異なるポテンシャルを有するものとした請求項１６記載のプローブステーション。
【請求項１８】
前記選択部材が第２位置をとるとき、前記内側部材および前記外側部材は、互いに異なるポテンシャルを有するものとした請求項１６記載のプローブステーション。
【請求項１９】
テスト装置をプロービングする方法であって、
（ａ）前記テスト装置を支持するための支持面を有するチャックを設け、
（ｂ）前記支持面から電気的に絶縁した導電内側部材により前記支持面を少なくとも部分的に包囲し、
（ｃ）前記支持面から電気的に絶縁した導電外側部材により前記支持面を少なくとも部分的に包囲することよりなる該プロービングにおいて、
（ｄ）第１位置および第２位置をとる選択部材であって、前記第１位置では前記内側部材を前記外側部材に電気的に相互接続し、また前記第２位置では前記内側部材を前記外側部材から電気的に絶縁する該選択部材を設ける
ことよりなることを特徴とするプロービング方法。
【請求項２０】
前記内側部材および前記支持面は、それぞれ互いに異なるポテンシャルを有するものとした請求項１９記載のプロービング方法。
【請求項２１】
前記選択部材が第２位置をとるとき、前記内側部材および前記外側部材は、互いに異なるポテンシャルを有するものとした請求項１９記載のプロービング方法。
【発明の詳細な説明】
【０００１】
【発明の属する技術分野】
本発明は半導体装置を手動で、半自動で、又は完全に自動でテストするのに使用されるパッケージプローブ、又はウエハプローブとして通常知られるプローブステーションに関するものであり、また特に、本発明は電磁妨害をシールドしてテスト装置をほぼ包囲する包囲体を有するプローブステーションに関するものである。また本発明はテスト装置をプロービングする方法に関するものである。
ここに「プロービング」とはプローブ、即ち探針を使用して半導体装置等の特性を測定することを言う。
【０００２】
【従来の技術】
この種のプローブステーションはここに援用する米国特許第5266889 号、及び第5457398 号に開示されている。これ等のプローブステーションは単一のシールド包囲体内で低電流、及び高周波の両方の測定を行うことができる。しかし、電気的テストの電流が減少するか、又は電気的テストの周波数が増大すると、単一の電磁妨害シールド包囲体のみを使用したのでは不十分になる。最も感度が高い測定であって、しかも特に（必ずではないが）米国特許第5457398 号に記載されたような低電流測定のためにガードを採用する時には、シールドポテンシャルの選択は重要である。このような重要性にかんがみ、従来、上述の米国特許に示された単一のシールド包囲体は測定器機接地のポテンシャルにシールドポテンシャルを適合させ得る選択コネクタを具え、これ等選択コネクタを相互に分離するが、代案として一方のコネクタが他方のコネクタによってバイアスされるようにするか、又は交流大地に接続する。
【０００３】
通常、測定器機を接地することは好適であり、これは測定器機に対する電気的雑音を理想的に有しない「静粛」シールドを行うことができるからである。しかし、このシールド包囲体が（外部環境からの静電雑音電流のような）電磁妨害に露出されると、この理想的な「静粛」状態が達成されず、チャック装置ガード素子、及び／又はテスト装置のための支持素子に好ましくないスプリアス電流を生ずる。このような電流の作用はガード素子の作用に特に有害であり、これはスプリアス電流はガードポテンシャル誤差を生じ、それが漏洩電流を生じ、テスト装置を支持するチャック素子に合成信号誤差を発生させるからである。
【０００４】
高周波測定に対してはガードを行わないのが普通である。しかし、最も感度が高い測定の場合には、シールドの「静粛」はなお重要である。この理由のため、スクリーンルームとして普通知られている完全にシールドされたルームを構成するのが通常の技術である。このルームを十分大きくして、プローブステーション、及びそれ自身の別個のシールド包囲体、テスト装置、及び数人のオペレータを収容している。このようなスクリーンルームは大きな空間を占め、建設するのが高価であり、ルーム内の雑音源に対して何等の対策もなされていない。
【０００５】
通常、シールドの希望する静粛状態を危うくする環境の作用は、一定ポテンシャルにある外部の物体の運動と、外部の交流電圧とであり、外部の物体の運動はキャパシタンスの変化に起因してスプリアスシールド電流を発生し、外部の交流電圧は一定キャパシタンスによってスプリアスシールド電流を発生する。感度が高い測定の場合に、真に必要なことはこのような環境の作用を受けない真に静粛なシールドである。
また、スクリーンルームの必要性を減らし、密接する環境の作用によって影響を受けないシールドを提供するためには、このような静粛シールド構造はコンパクトであることが必要である。
【０００６】
【発明が解決しようとする課題】
本発明の目的はスクリーンルームのような大きくて高価な設備を要せず、スプリアス電流を発生せず、雑音が無く、コンパクトなプローブステーションを得るにある。
また本発明の他の目的は上述のような欠点を除去し、テスト装置をプロービングする方法を得るにある。
【０００７】
【課題を解決するための手段】
この目的を達成するため、本発明プローブステーションは、（ａ）テスト装置をプロービングする間、テスト装置を支持するための支持面を持つチャック装置素子を有するチャック装置と、（ｂ）このチャック装置素子を少なくとも一部包囲し、このチャック装置素子に対し絶縁された導電外側シールド包囲体とを具え、テスト装置をプロービングするためのプローブステーションにおいて、（ｃ）前記外側シールド包囲体と前記チャック装置素子との間に介挿され、これ等外側シールド包囲体とチャック装置素子とに対し絶縁され、前記チャック装置素子を少なくとも一部包囲する導電内側シールド包囲体と、（ｄ）前記内側シールド包囲体と前記チャック装置素子とが相互に独立したそれぞれのポテンシャルを有するよう前記チャック装置素子と前記内側シールド包囲体とにそれぞれ接続されたそれぞれの電気導体とを具えることを特徴とする。
【０００８】
また、本発明方法は、（ａ）テスト装置をプロービングする間、このテスト装置を支持するための支持面を有する第１チャック装置素子と、前記支持面に対し離間した関係に導電材料を有する第２チャック装置素子とを相互に電気的に絶縁して有するチャック装置を設け、（ｂ）前記第１チャック装置素子と第２チャック装置素子に対して絶縁された導電外側シールド包囲体によってこれ等第１チャック装置素子と第２チャック装置素子とを少なくとも部分的に包囲し、（ｃ）前記第１チャック装置素子と第２チャック装置素子との間の漏洩電流を最小にするようこれ等第１チャック装置素子と第２チャック装置素子とにほぼ等しいポテンシャルを有せしめて、テスト装置をプロービングする方法において、（ｄ）前記外側シールド包囲体と、前記第１チャック装置素子、及び第２チャック装置素子との間に、これ等外側シールド包囲体と第１チャック装置素子、及び第２チャック装置素子とに対し絶縁して導電内側シールド包囲体を介挿し、この内側シールド包囲体によって前記第１チャック装置素子、及び第２チャック装置素子を少なくとも一部包囲することを特徴とする。
【０００９】
上述したように、本発明においては、相互に絶縁した内側導電シールド包囲体と外側導電シールド包囲体とを有し、両方の導電シールド包囲体はテスト装置を支持するチャック装置素子、及びテスト装置に関連するガード素子の少なくとも一部を包囲する。外側シールド包囲体を直接、又は間接に交流大地に接続するのが好適であり、外部環境の雑音を遮断し、内側シールド包囲体への雑音の作用を最小にし、この内側シールド包囲体によって包囲されるチャック装置素子への雑音の作用を最小にする。
このような内側シールド包囲体、及び外側シールド包囲体をプローブステーションに一体に構成するのが好適であり、これによりコンパクトな構造になる。
【００１０】
【実施例】
図面に示す本発明プローブステーション１０の例示の実施例は導電性の外側包囲体１２を有し、この外側包囲体１２に電気的に接続された導電性の上方に上げることができる蝶着された蓋１２ａをこの外側包囲体は有する。直交座標に配置される横Ｘ軸線位置決め装置と、横Ｙ軸線位置決め装置とを有するチャック位置決め装置により、テスト装置を支持するチャック装置１４を横方向に対し位置決めできるようにする。横Ｘ軸線位置決め装置１６は電動機１８によって駆動される横方向に延在する位置決めねじ（図示せず）を有する。Ｘ軸線位置決め装置１６は導電ハウジング１６ａによって一部包囲されている。場合により、塵埃粒子の侵入、排出を防止しながら、位置決め運動が行えるよう、Ｘ軸線位置決め装置１６を可撓性ひだ付きゴムブーツ１６ｂによって包囲する。
【００１１】
ハウジング１６ａの外側、及び包囲体１２の内側の両方に設けたそれぞれの誘電陽極酸化コーティングによって導電ハウジング１６ａを外側包囲体１２に対し絶縁し、高インピーダンス電気経路２２によって図２に線図的に示した通常のモータケーブル、及び接地モータ電源回路（図示せず）によって交流アース大地に、導電ハウジング１６ａを間接的に電気的に接続する。Ｘ軸線位置決め装置１６はこのＸ軸線位置決め装置１６に対し垂直に指向するＹ軸線位置決め装置２４をＸ軸線に沿って選択的に動かす。
【００１２】
横Ｙ軸線位置決め装置２４はＸ軸線位置決め装置１６と同様に構成されており、外側導電ハウジング２４、及び場合により可撓性ひだ付きゴムブーツ２４ｂを有する。導電ハウジング２４ａをＸ軸線位置決め装置のハウジング１６ａに電気的に接続する。Ｙ軸線位置決め装置２４の電動機２６を包囲体１２の側部の水平スロット２８（図３参照）から突出し、これによりＸ軸線位置決め装置１６によりＹ軸線位置決め装置２４をＸ軸線に沿って自由に動かし得るようにする。代案として、包囲体１２を一層大きくしてスリット２８を無くしてもよい。
【００１３】
ハウジング２４ａに電気的に接続された導電ハウジング３０ａを有する通常のＺ軸線位置決め装置３０をＹ軸線位置決め装置２４によってＹ軸線に沿って移動できるようにする。Ｚ軸線位置決め装置３０はそれぞれの内部電動機（図示せず）を有し、これ等電動機により既知のようにプランジャ組立体３０ｂを選択的に垂直に往復動させ、垂直軸線の周りに限定された範囲でプランジャ３０ｂを選択的に回転させる。
【００１４】
外側導電包囲体１２を低インピーダンス経路３２（図２参照）によって交流大地に直接接続する。外側包囲体１２、蓋１２ａ、及び位置決めハウジング１６ａ、２４ａ、３０ａを集合的に共働させ、導電性の外側シールド包囲体を構成する。環境雑音源が包囲体１２の外側であっても、又は位置決め装置のハウジングの内側で包囲体１２の内側にある場合でも、この包囲体はこのプローブステーションの残部を環境雑音源から分離する。そのような雑音源としては電動機１８、２６、Ｚ軸線位置決め装置３０内の電動機、及びケーブル、加熱用ヒータ、エンコーダ、スイッチ、センサ等のようなその他の電気構成部分である。
【００１５】
誘電スペーサ３４によってプランジャ組立体３０ｂから電気的に絶縁して、方形の導電チャックシールド３６をプランジャ組立体３０ｂの頂部に取り付ける。導電チャックシールド３６は下方に懸垂する導電円筒裾部３６ａを有する。誘電スペーサ３８によってチャックシールド３６から電気的に絶縁して、導電チャックガード素子４０をチャックシールド３６の頂部に取り付ける。このガード素子４０は周縁円筒導電ガード裾部４０ａを有する。ガード裾部４０ａは導電チャック素子４２の周縁を離間した関係に包囲する。チャック素子４２はガード素子４０、及びガード裾部４０ａに対し誘電スペーサ４４によって絶縁されており、プロービング操作中、テスト装置を支持するため、チャック素子４２は支持面４２ａを有する。Ｚ軸線位置決め装置３０が支持面４２ａを上方にプロービング位置に上昇させた時、プローブ（図示せず）がテスト装置に接触するようプローブをプローブリング４６に取り付け、又はプローブを適当な形式のプローブホルダに取り付ける。
【００１６】
図２に線図的に示すように、測定器機に相互に接続された３軸ケーブル３７のシールド導線にチャックシールド３６を電気的に接続する。ガード素子４０をガード裾部４０ａと共に３軸ケーブルのガード導線に接続し、チャック素子４２を３軸ケーブル３７の中心導線、即ち信号導線に接続する。導電板４８の形状の他のガード素子も３軸ケーブルのガード導線に電気的に接続されており、この導電板４８を誘電スペーサ５０によってプローブステーションの残部に対して絶縁する。支持面４２ａに対向する関係に導電板４８を懸垂する。この導電板４８もプローブガード（図示せず）の底部にあるガード素子に接続されている。これ等の電気的な接続、及びチャック素子を相互に絶縁するのに利用される誘電スペーサの詳細はここに援用する米国特許第5457398 号に説明されている。このような米国特許に説明されているように、チャック素子４０、４２への接続によってこのような素子をほぼ等ポテンシャルにし、両者間の漏洩電流を最少にする。
【００１７】
またプローブステーションの環境制御包囲体としても作用するのが好適な導電内側シールド包囲体５２はEMI(電磁妨害) シールドの目的と共に、乾燥環境、及び／又は暗環境維持の目的のためであり、この包囲体５２は、外側包囲体１２とチャック素子４０、４２との間に介挿され、しかも外側包囲体１２とチャック素子４０、４２とに対し絶縁されるよう外側包囲体１２の内側に誘電スペーサ５４を介して取り付けられる。チャックシールド３６と同様に、測定器機に関連する３軸ケーブル３７のシールド導線に包囲体５２を接続する。図２に３路スイッチ５６として線図的に示す選択コネクタ機構は包囲体５２にそれぞれ異なるポテンシャルを選択的に発生させることができる。選択機構５６は平素は「浮動」位置にあり、従って包囲体５２のポテンシャルは測定器機に関連する３軸シールドによって定まる。しかし、代わりに選択コネクタ機構５６によって包囲体５２は電気的にバイアスされるか、又は特別な用途に必要であれば包囲体５２は外側包囲体１２に相互に接続される。内側包囲体５２が外側包囲体１２に電気的に接続されていない平素の状態では、外側シールドの構成部分１２、１２ａ、１６ａ、２４ａ、３０ａは外部雑音源に対し内側シールドを保護し、従って内側シールドはチャック素子４０、及び／又は４２に作用する雑音誘導スプリアス電流を最小にすることができ、これによりテスト測定の正確さを増大することができる。
【００１８】
それぞれＸ軸線位置決め装置１６、及びＹ軸線位置決め装置２４によるチャック装置１４の横方向への運動は、プローブ、又は複数個のプローブに対してテスト装置を位置決めするため後退しているＺ軸線位置決め装置によって達成する。このような運動中、内側包囲体５２の環境保全性は導電可撓性壁組立体５８によって維持される。壁組立体５８は、Ｘ軸線に沿って伸長、収縮できる１対の可撓的伸縮ひだ付き壁素子５８ａと、Ｙ軸線に沿って可撓的に伸長、収縮できる同様の他の１対の壁素子５８ｂとを有する。
【００１９】
壁素子５８ａの最外側端は、ねじ（図示せず）によって内側包囲体５２の内面に電気的に接続される。壁素子５８ａの最内側端は、同様に長方形金属フレーム６０に接続される。この長方形金属フレーム６０はブラケット６２（図３参照）と誘電スペーサ６４とを介してＹ軸線位置決め装置のハウジング２４ａに支持される。この誘電スペーサ６４はフレーム６０をＹ軸線位置決め装置のハウジング２４ａに対し絶縁する。一方、可撓性壁素子５８ｂの最外側端は、ねじ（図示せず）によってフレーム６０の両端の内面に電気的に接続されており、可撓性壁素子５８ｂの最内側端は、Ｚ軸線位置決め装置のハウジング３０ａの頂部に誘電ブラケット６８によって絶縁して支持されるそれぞれの導電バー６６に同様に接続される。導電板７０を導電バー６６に電気的に接続し、この導電板７０によってチャックシールド裾部３６ａを離間した関係に包囲する。
【００２０】
Ｘ軸線位置決め装置１６がＹ軸線位置決め装置２４とチャック装置とをＸ軸線に沿って動かすと、壁素子５８ａが伸長、収縮し、フレーム６０とその収容する壁素子５８ｂとを動かす。この反対に、Ｙ軸線位置決め装置２４がＺ軸線位置決め装置とチャック装置とをＹ軸線に沿って動かすと、壁素子５８ｂはＹ軸線に沿って同様に伸長、収縮する。
【００２１】
図４に、可撓性壁素子５８ａの例示的なひだ７２の横断面を示す。ひだ付き材料から成る導電コア７４は銅、及びニッケルを化学的にコーティングした微細なメッシュのポリエステルである。PCV(ポリ塩化ビニル) 強化材を有するナイロン織物であるそれぞれの層７６の間にサンドイッチ状にコア７４を配置する。ポリウレタンのそれぞれの外層７８によってそれぞれの層７６を覆う。ひだ付き材料は流体不透過性で、不透明であるのが好適であり、従って、内側包囲体５２は乾燥環境制御室、及び／又は暗環境制御室として作用すると共に、EMI(電磁妨害）シールドとしても作用する。しかし、内側包囲体５２を単にシールドとして作用させようとするならば、ひだ付き材料は流体不透過性、又は不透明である必要はない。この反対に、内側包囲体５２がEMI シールド作用を行わず、乾燥環境制御、及び／又は暗環境制御を目的とする環境制御室としてのみ作用するようにしようとするならば、ひだ付き材料の導電コア７４を省略することができる。また、薄い非常に可撓性の不銹鋼、又はその他の全ての金属シート材料のような他の組成から成る代わりのひだ付き材料を使用することができる。
【００２２】
更に代案として、チャック装置１４を包囲するひだ８２の円形の、又は扁円形の湾曲リングを有する一体可撓性壁組立体８０（図５参照）を壁組立体５８の代わりに設け、放射方向のＸ方向、及びＹ方向に可撓的に伸長、収縮し得るようにすることができる。この壁組立体８０の外端を湾曲導電フレーム８４によって内側シールド包囲体５２に電気的に接続する。円形導電リング８６、及びＺ軸線位置決め装置のハウジング３０ａ上にあり、ブラケット６８に匹敵する下にある円形誘電ブラケット（図示せず）によって壁組立体８０の内端を支持する。
【００２３】
更に代案として、可撓性壁組立体の一層望ましい特性が必要でない場合には、可撓性壁組立体５８の代わりに、ここに援用する米国特許第5457398 号に示されるもののように、導電性、又は非導電性の摺動板を内側包囲体５２が利用することができる。更に代案として、壁組立体５８内のひだ付き材料の代わりに、ひだの無い可撓的伸長、収縮材料を使用することができる。
【００２４】
上述の明細書中に採用した語、及び表現は記述のための語として使用しており、本発明の要旨を限定するものでない。また、そのような語や表現の使用は、図示、及び記載の要旨と同等の要旨を除外するものでなく、本発明の範囲は特許請求の範囲に明確である。
【図面の簡単な説明】
【図１】内部の構造を示すための一部を除去して示す例示の本発明のプローブステーションの平面図である。
【図２】図１の２−２線に沿う線図的部分断面図である。
【図３】図１の３−３線に沿う線図的部分断面図である。
【図４】図１の実施例の可撓性壁素子の一部の拡大断面図である。
【図５】本発明の代案の実施例の部分平面図である。
【符号の説明】
１０  プローブステーション
１２  外側包囲体
１２ａ  蓋
１４  チャック装置
１６  Ｘ軸線位置決め装置
１８、２６  電動機
２４  Ｙ軸線位置決め装置
３０  Ｚ軸線位置決め装置
３０ｂ  プランジャ組立体
３４、３８、４４、５０、５４、６４  誘電スペーサ
３６  導電チャックシールド
３７  ３軸ケーブル
４０  導電チャックガード素子
４０ａ  導電ガード裾部
４２  チャック素子
４２ａ  支持面
４６  プローブリング
４８  導電板
５２  内側シールド包囲体
５６  ３路スイッチ、選択コネクタ機構、選択機構
５８  導電可撓性壁組立体
５８ａ、５８ｂ  壁素子
６０  長方形金属フレーム
６２  ブラケット
６６  導電バー
６８  誘電ブラケット
７０  導電板
７２  ひだ
７４  導電コア
７６  層
７８  外層
８０  一体可撓性壁組立体
８２  ひだ
８４  湾曲導電フレーム
【図１】
0004195124.tif 000002
【図２】
0004195124.tif 000003
【図３】
0004195124.tif 000004
【図４】
0004195124.tif 000005
【図５】
0004195124.tif 000006